(57)【要約】【目的】 そこで、本考案の課題は、携帯電話の必須的付属品である携帯ストラップであって、近視・遠視用眼鏡および老眼鏡などの専用の眼鏡を収納した眼鏡ケースを端部に取り付けてなる携帯ストラップを提供することである。【構成】携帯ストラップ１は、一端部を携帯電話機２に取り付け、他端部にジョイント部３を設ける。眼鏡ケース４は、筒状をなし、一端部にジョイント部５を設け、他端部に開口部６を設けた差込式眼鏡ケースである。ここで、携帯ストラップ１のジョイント部３に眼鏡ケース４のジョイント部５を挿入することで、携帯ストラップ１に眼鏡ケース４が接続固定される。また、眼鏡ケース４は、開口部６より専用の眼鏡７を差込収納することができる。【選択図】      図１
0003117574.tif 000002
【実用新案登録請求の範囲】
【請求項１】
携帯電話機に取り付ける携帯ストラップであって、
上記ストラップは端部に筒状の眼鏡ケースを有し、
上記眼鏡ケースに専用の眼鏡を収納することができるようにしたことを特徴とする眼鏡ケース付き携帯ストラップ。
【請求項２】
筒状の眼鏡ケースが、
眼鏡ケースの端部にジョイント機構を有し、携帯電話機に取り付けるストラップの端部に着脱自在に装着できるようにしたことを特徴とする請求項１に記載の眼鏡ケース付き携帯ストラップ。
【請求項３】
筒状の眼鏡ケースが、
一端部に開口部を有し、
前記開口部から専用の眼鏡を収納した際に、眼鏡の一端部が眼鏡ケースの外に露出し、
その露出部により、眼鏡をつまみ出すことができるようにした差込式であることを特徴とする請求項１に記載の眼鏡ケース付き携帯ストラップ。
【請求項４】
筒状の眼鏡ケースが、
一端部に開口部と、
前記開口部を閉鎖するフタ部を有し、
開口部に専用の眼鏡を収納した際に、前記フタ部によって閉じることができるフタ付式であることを特徴とする請求項１に記載の眼鏡ケース付き携帯ストラップ。
【考案の詳細な説明】
【技術分野】
【０００１】
本考案は、専用の眼鏡を収納できる眼鏡ケースを取り付けることができる携帯ストラップに関する。
【背景技術】
【０００２】
近年、携帯電話機の著しい普及に伴い、携帯電話機の所有年齢層も若年層から高年層にまで広がりをみせている。そんな中、多くのユーザの携帯電話機は、ストラップを取り付けている。前記ストラップは、主に装飾を目的とし、ストラップ端部あるいはストラップの全体にキャラクター性・マスコット性・メッセージ性などを有する。ストラップに機能性を持たせたものでは、携帯電話機の画面に付着した汚れを落とすクリーナー機能付きストラップ等がある（実用新案登録第３１００１２１号公報、特許文献１参照）。
【０００３】
また、携帯電話機は手の平に乗る程度に小型である。しかし、小型であるがゆえに、表示文字・画像も必然的に細かくなってしまい、視力に問題を持つユーザ、例えば近視や遠視、老眼などの症状を持つユーザには、文字や画像が認識しづらいという問題がある。
【特許文献１】実用新案登録第３１００１２１号
【考案の開示】
【考案が解決しようとする課題】
【０００４】
携帯電話機は、手の平に乗る程度に小型であり、どこへでも持ち運べ、いつでも電話することができる非常に便利な携帯電子機器端末であるが、小型であるために表示文字や表示画像も細かくなってしまい認識しづらい面もある。この問題を解決するためには、ユーザ側で近視・遠視用眼鏡および老眼鏡などの眼鏡を用意する等、対策が必要である。
【０００５】
しかし、携帯電話機と眼鏡を別々に持ち歩いていると、眼鏡が必要な時に限って所持しておらず携帯電話機の表示が認識できない等の問題がある。
【０００６】
そこで、本考案の課題は、携帯電話の必須的付属品である携帯ストラップであって、近視・遠視用眼鏡および老眼鏡などの専用の眼鏡を収納した眼鏡ケースを端部に取り付けてなる携帯ストラップを提供することである。
【課題を解決するための手段】
【０００７】
上述した課題を解決するために、本考案に係る眼鏡ケース付き携帯ストラップは、携帯電話機に取り付ける携帯ストラップであって、上記ストラップは端部に筒状の眼鏡ケースを有し、上記眼鏡ケースに専用の眼鏡を収納することができることを特徴としている（請求項１）。
【０００８】
また、筒状の眼鏡ケースが、眼鏡ケースの端部にジョイント機構を有し、携帯電話機に取り付けるストラップの端部に着脱自在に装着できるようにしたことを特徴としている（請求項２）。
【０００９】
さらに、筒状の眼鏡ケースが、一端部に開口部を有し、前記開口部から専用の眼鏡を収納した際に、眼鏡の一端部が眼鏡ケースの外に露出し、その露出部により、眼鏡をつまみ出すことができる差込式であることを特徴としている（請求項３）。
【００１０】
また、筒状の眼鏡ケースが、一端部に開口部と、前記開口部を閉鎖するフタ部を有し、開口部に専用の眼鏡を収納した際に、前記フタ部によって眼鏡を閉じることができるフタ付式であることを特徴としている（請求項４）。
【考案の効果】
【００１１】
本考案に係る眼鏡ケース付き携帯ストラップによれば、携帯ストラップは今や携帯電話機にとって必須的付属品であり、前記ストラップに眼鏡ケースを取り付け、前記眼鏡ケースに専用の眼鏡を収納すれば、携帯電話機同様、どこへでも持ち運べ、かついつでも眼鏡を使用でき、認識し難い細かな文字や画像もしっかりと認識することができる。これにより、文字が大きい携帯電話機に変更する手間とコストを省くことができる。
【考案を実施するための最良の形態】
【００１２】
図１は、本考案に係る眼鏡ケース付き携帯ストラップの斜視図である。図示した携帯ストラップ１は、一端部を携帯電話機２に取り付け、他端部にジョイント部３を設ける。眼鏡ケース４は、筒状をなし、一端部にジョイント部５を設け、他端部に開口部６を設けた差込式眼鏡ケースである。ここで、携帯ストラップ１のジョイント部３に眼鏡ケース４のジョイント部５を挿入することで、携帯ストラップ１に眼鏡ケース４が接続固定される。また、眼鏡ケース４は、開口部６より専用の眼鏡７を差込収納することができる。
【００１３】
図２は、本考案に係る眼鏡ケース付き携帯ストラップのジョイント部の拡大図である。携帯ストラップ１の端部にジョイント部３、眼鏡ケース４の端部にジョイント部５を設けている。眼鏡ケース４の端部のジョイント部５を携帯ストラップ１の端部のジョイント部３に挿入することで、眼鏡ケース４を携帯ストラップ１に固定する。なお、眼鏡ケース４のコ字状ジョイント部５が弾性力を有しているので、ワンタッチで取り付け取り外しができる。
【００１４】
図３は、図１に示す眼鏡ケース付き携帯ストラップの眼鏡収納時の透視図である。図示した眼鏡ケース４は、専用の眼鏡７を差込収納する際、眼鏡ケース４の内側の適所に設けた眼鏡保持突起８によって専用の眼鏡７を挟むように保持する。また、専用の眼鏡７は、眼鏡ケース４に収納された状態で、眼鏡ケース４の開口部６より若干外に露出するようになっている。このような構造にすることで、専用の眼鏡７を眼鏡ケース４から取り出す際に、専用の眼鏡７の露出部をつまむことで容易に専用の眼鏡７を取り出すことができる。
【００１５】
図４は、本考案に係る眼鏡ケース付き携帯ストラップの別の実施例の斜視図である。図示した携帯ストラップ１は、一端部を携帯電話機２に取り付け、他端部にジョイント部３を設ける。眼鏡ケース９は、筒状をなし、一端部にジョイント部５を設け、他端部に開口部６を設け、前記開口部６にフタ部１０を設けたフタ付式眼鏡ケースである。ここで、携帯ストラップ１のジョイント部３に眼鏡ケース９のジョイント部５を挿入することで、携帯ストラップ１に眼鏡ケース９が接続固定される。また、眼鏡ケース９は、開口部６より専用の眼鏡７を差込収納し、フタ部１０によって閉じることができる。
【００１６】
図５は、図４に示す眼鏡ケース付き携帯ストラップの眼鏡収納時の透視図である。図示した眼鏡ケース９は、専用の眼鏡７を差込収納する際、眼鏡ケース９の内側の適所に設けた眼鏡保持突起８によって専用の眼鏡７を挟むように保持し、開口部６をフタ部１０によって閉じる。
【産業上の利用可能性】
【００１７】
本考案は、携帯電話機の必須的付属品であるストラップに眼鏡を収納した眼鏡ケースを取り付けて、携帯電話機の表示文字や表示画像をいつでもどこでもしっかり認識できるだけでなく、さまざまな表示物、例えば、新聞や掲示板などを読む際にも、いつでもどこでも眼鏡を使用することができる。また、鞄等への取り付けも可能である。
【図面の簡単な説明】
【００１８】
【図１】本考案に係る眼鏡ケース付き携帯ストラップの斜視図である。
【図２】本考案に係る眼鏡ケース付き携帯ストラップのジョイント部の拡大図である。
【図３】図１に示す眼鏡ケース付き携帯ストラップの眼鏡収納時の透視図である。
【図４】本考案に係る眼鏡ケース付き携帯ストラップの別の実施例の斜視図である。
【図５】図４に示す眼鏡ケース付き携帯ストラップの眼鏡収納時の透視図である。
【符号の説明】
【００１９】
１  携帯ストラップ
２  携帯電話機
３  ジョイント部
４  差込式眼鏡ケース
５  ジョイント部
６  開口部
７  専用の眼鏡
８  眼鏡保持突起
９  フタ付式眼鏡ケース
１０  フタ部
【図１】
0003117574.tif 000003
【図２】
0003117574.tif 000004
【図３】
0003117574.tif 000005
【図４】
0003117574.tif 000006
【図５】
0003117574.tif 000007